(57)【要約】【課題】被着体に対する保持位置を容易に変更可能であり且つ被着体から容易に取り外すことが可能なラベルを作成するためのラベル媒体及びラベル媒体が収容されたカセットを提供する。【解決手段】情報を印刷又は直接記入可能な領域５２１Ａを有する第一表示部５２１と第二表示部５２２と、被着体に巻き付けられ一方に粘着層露出部５５を有する第一巻付部５４１と第二巻付部５４２と、孔又は／及び切れ目を夫々有する第一貫通部５３１と第二貫通部５３２とを有する。第一方向に第一表示部５２１、第一貫通部５３１、第一巻付部５４１の順に並んで連結され、第一方向又は第一方向の反対方向である第二方向に第二表示部５２２、第二貫通部５３２、第二巻付部５４２の順に並んで連結される。第一表示部５２１と第二表示部５２２、第一貫通部５３１と第二貫通部５３２、第一巻付部５４１と第二巻付部５４２の内の少なくとも一つの組みが第一ラインを介し連結される。【選択図】図５
2019012213.tif 000002
【特許請求の範囲】
【請求項１】
台紙と、粘着層を介し前記台紙に貼られたラベルと、を含むラベル媒体であって、
前記ラベルは、
情報を印刷又は直接記入可能な領域を有する第一表示部と第二表示部と、
被着体に巻き付けられ、何れか一方に粘着層露出部を有する第一巻付部と第二巻付部と、
前記粘着層露出部が貫通する孔又は／及び切れ目をそれぞれ有する第一貫通部と第二貫通部と、
を有し、
前記台紙の面と平行の第一方向に、前記第一表示部、前記第一貫通部、前記第一巻付部の順に並んで連結され、
前記第一方向、又は前記第一方向の反対方向である第二方向に、前記第二表示部、前記第二貫通部、前記第二巻付部の順に並んで連結され、
前記第一表示部と前記第二表示部、前記第一貫通部と前記第二貫通部、前記第一巻付部と前記第二巻付部、の内の少なくとも一つの組みが第一ラインを介して連結され、
前記第一表示部の少なくとも一部と前記第二表示部の少なくとも一部は、前記第一ラインを直線状に延ばした仮想ラインを基準として対称となる位置に配置され、
前記第一貫通部の少なくとも一部と前記第二貫通部の少なくとも一部は、前記第一ラインを直線状に延ばした仮想ラインを基準として対称となる位置に配置され、
前記第一巻付部の少なくとも一部と前記第二巻付部の少なくとも一部は、前記第一ラインを直線状に延ばした仮想ラインを基準として対称となる位置に配置され、
前記第一貫通部の孔又は／及び切れ目の少なくとも一部と前記第二貫通部の前記孔及び／又は前記切れ目の少なくとも一部は、前記第一ラインを直線状に延ばした仮想ラインを基準として対称となる位置に配置される、
ことを特徴とするラベル媒体。
【請求項２】
前記第一表示部の少なくとも一部と前記第一貫通部の少なくとも一部、前記第一貫通部の少なくとも一部と前記第一巻付部の少なくとも一部、又は前記第一表示部の少なくとも一部と前記第一貫通部の少なくとも一部と前記第一巻付部の少なくとも一部は、前記第一方向に重なり、
前記第二表示部の少なくとも一部と前記第二貫通部の少なくとも一部、前記第二貫通部の少なくとも一部と前記第二巻付部の少なくとも一部、又は前記第二表示部の少なくとも一部と前記第二貫通部の少なくとも一部と前記第二巻付部の少なくとも一部は、前記第一方向に重なることを特徴とする請求項１に記載のラベル媒体。
【請求項３】
前記第一巻付部の少なくとも一部と、前記第一貫通部の前記孔又は／及び前記切れ目の少なくとも一部は、前記第一方向に重なり、
前記第二巻付部の少なくとも一部と、前記第二貫通部の前記孔又は／及び前記切れ目の少なくとも一部は、前記第一方向に重なることを特徴とする請求項１又は２に記載のラベル媒体。
【請求項４】
前記粘着層露出部の前記第一方向に直交する第三方向の最大長さの第一長さが、前記第一巻付部と前記第二巻付部の前記粘着層露出部以外の前記第三方向の最大長さの第二長さより長いことを特徴とする請求項１乃至３の何れか一に記載のラベル媒体。
【請求項５】
前記孔又は／及び前記切れ目の前記第一方向の最大長さの第三長さは、前記第一長さ以上であることを特徴とする請求項４に記載のラベル媒体。
【請求項６】
前記孔又は／及び前記切れ目の前記第三方向の最大長さの第四長さは、前記第二長さ以上であることを特徴とする請求項４又は５に記載のラベル媒体。
【請求項７】
前記第一長さが、前記孔又は／及び前記切れ目の前記第一方向の最大長さの前記第三長さと等しいことを特徴とする請求項４乃至６の何れか一に記載のラベル媒体。
【請求項８】
前記第二長さが、前記孔又は／及び前記切れ目の前記第三方向の最大長さの前記第四長さと等しいことを特徴とする請求項４乃至７の何れか一に記載のラベル媒体。
【請求項９】
前記ラベルは、
前記第一巻付部と前記第二巻付部との内で前記粘着層露出部を有さない一方と連結する前記第一貫通部又は前記第二貫通部の連結側と反対側に延び、前記粘着層露出部の一部を被覆する被覆部を更に有することを特徴とする請求項１乃至８の何れか一に記載のラベル媒体。
【請求項１０】
前記粘着層露出部は、先端部に向かって先細り形状であること特徴とする請求項１乃至９の何れか一に記載のラベル媒体。
【請求項１１】
前記第一貫通部と前記第二貫通部が前記第一ラインを介して連結されていることを特徴とする請求項１乃至１０の何れか一に記載のラベル媒体。
【請求項１２】
台紙と、粘着層を介し前記台紙に貼られたラベルと、を含むラベル媒体であって、
前記ラベルは、
情報を印刷又は直接記入可能な領域を有する第一表示部と第二表示部と、
環を形成するための、何れか一方に粘着層露出部を有する第一環形成部と第二環形成部と、
を有し、
前記台紙の面と平行の第一方向に、前記第一表示部、前記第一環形成部の順に並んで連結され、
前記第一方向又は前記第一方向の反対方向である第二方向に、前記第二表示部、前記第二環形成部の順に並んで連結され、
前記第一表示部と前記第二表示部、前記第一環形成部と前記第二環形成部、の内の少なくとも一つの組みが第一ラインを介して連結され、
前記第一表示部の少なくとも一部と前記第二表示部の少なくとも一部は、前記第一ラインを直線状に延ばした仮想ラインを基準として対称となる位置に配置され、
前記第一環形成部の少なくとも一部と前記第二環形成部の少なくとも一部は、前記第一ラインを直線状に延ばした仮想ラインを基準として対称となる位置に配置される、ことを特徴とするラベル媒体。
【請求項１３】
前記第一表示部の少なくとも一部と前記第一環形成部の少なくとも一部は、前記第一方向に重なり、
前記第二表示部の少なくとも一部と前記第二環形成部の少なくとも一部は、前記第一方向に重なることを特徴とする請求項１２に記載のラベル媒体。
【請求項１４】
前記第一表示部と前記第二表示部、前記第一貫通部と前記第二貫通部、前記第一環形成部と前記第二環形成部、の内の少なくとも一つの組みが同一形状且つ同一サイズであることを特徴とする請求項１２又は１３に記載のラベル媒体。
【請求項１５】
前記粘着層露出部の前記第一方向に直交する第三方向の最大長さの第一長さが、前記第一環形成部と前記第二環形成部の前記粘着層露出部以外の前記第三方向の最大長さの第二長さ以下、又は、
前記第一長さが、前記第一表示部と前記第二表示部の前記第三方向の最大長さの第五長さ以下であることを特徴とする請求項１２乃至１４の何れか一に記載のラベル媒体。
【請求項１６】
前記ラベルは、
前記第一環形成部と前記第二環形成部との内で前記粘着層露出部を有さない一方と連結する前記第一表示部又は前記第二表示部の連結側と反対側に延び、前記粘着層露出部の一部を被覆する被覆部を更に有することを特徴とする請求項１２乃至１５の何れか一に記載のラベル媒体。
【請求項１７】
前記第一ラインは前記第一方向に延びることを特徴とする請求項１乃至１６の何れか一に記載のラベル媒体。
【請求項１８】
前記第一ラインは前記第一方向と直交し、前記台紙の短尺方向と平行の前記第三方向に延びることを特徴とする請求項１乃至１７の何れか一に記載のラベル媒体。
【請求項１９】
前記第一ラインはミシン目であることを特徴とする請求項１乃至１８の何れか一に記載のラベル媒体。
【請求項２０】
前記ラベル側に前記粘着層を設けることを特徴とする請求項１乃至１９の何れか一に記載のラベル媒体。
【請求項２１】
前記台紙の前記第一ラインに対向する直線部をミシン目又は切れ目で形成することを特徴とする請求項１乃至２０の何れか一に記載のラベル媒体。
【請求項２２】
前記台紙は長尺形状であり、
複数の前記ラベルが前記台紙に長尺方向に並んで貼られている、ことを特徴とする請求項１乃至２１の何れか一に記載のラベル媒体。
【請求項２３】
前記ラベルと前記ラベル以外の部分の枠部とを組み合わせた形状は、前記台紙と同一形状であり、
前記ラベルと前記枠部との境界に切れ目が形成されていることを特徴とする請求項１乃至２２の何れか一に記載のラベル媒体。
【請求項２４】
前記台紙に前記ラベルのみが貼り付けられていることを特徴とする請求項１乃至２３の何れか一に記載のラベル媒体。
【請求項２５】
前記第一表示部と前記第二表示部が前記第一ラインを介して連結されることを特徴とする請求項１乃至２４の何れか一に記載のラベル媒体。
【請求項２６】
前記ラベルは、
前記第一巻付部、前記第二巻付部又は前記第一環形成部、前記第二環形成部の少なくとも一方の前記第三方向の両側又は片側に第二ラインを介して連結されており、前記第一巻付部、前記第二巻付部又は前記第一環形成部、前記第二環形成部を貼り合わせて形成された巻付部又は環形成部を補強する、一又は複数の補強部を更に有することを特徴とする請求項１乃至２５の何れか一に記載のラベル媒体。
【請求項２７】
請求項１乃至１１の何れか一に記載の前記ラベル媒体がスプールに巻回されたロールを含むカセットであって、
前記ラベル媒体のうち前記スプールに接続する側から反対側に向けて、前記ラベルは、前記第一巻付部、前記第一貫通部、前記第一表示部の順に並んで配置され、且つ、前記第二巻付部、前記第二貫通部、前記第二表示部の順に並んで配置されていることを特徴とするカセット。
【請求項２８】
請求項１２乃至１６の何れか一に記載の前記ラベル媒体がスプールに巻回されたロールを含むカセットであって、
前記ラベル媒体のうち前記スプールに接続する側から反対側に向けて、前記ラベルは、前記第一環形成部、前記第一表示部の順に並んで配置され、且つ、前記第二環形成部、前記第二表示部の順に並んで配置されていることを特徴とするカセット。
【発明の詳細な説明】
【技術分野】
【０００１】
本発明は、ケーブル等の被着体に巻回されることによって保持されるラベルを作成するためのラベル媒体及びカセットに関する。
【背景技術】
【０００２】
特許文献１は、粘着剤層を有する被印字テープに印刷されたラベルを開示する。ラベルは、ラベル本体部及び巻き付け部を有する。ラベル本体部には印字データが印刷される。ラベル本体部は、ミシン目で山折りに折り曲げられることによって、裏面どうしが粘着剤層によって貼り合わされる。巻き付け部は折り返され、ケーブル状の被着体に巻き付けられる。これによって、巻き付け部の裏面は粘着剤層によって被着体に接着し、同時に、巻き付け部の裏面どうしが粘着剤層によって貼り合わされる。
【先行技術文献】
【特許文献】
【０００３】
【特許文献１】特開２０１７−６４９２５号公報
【発明の概要】
【発明が解決しようとする課題】
【０００４】
上記のラベルは、粘着剤層によって被着体に接着される為、被着体に対するラベルの保持位置を変更したり、被着体に対してラベルを取り外したりすることが難しいという問題点がある。
【０００５】
本発明の目的は、被着体に対する保持位置を容易に変更可能であり、且つ、被着体から容易に取り外すことが可能なラベルを作成するためのラベル媒体、及び、ラベル媒体が収容されたカセットを提供することである。
【課題を解決するための手段】
【０００６】
本開示の第一形態に係るラベル媒体は、台紙と、粘着層を介し台紙に貼られたラベルと、を含むラベル媒体であって、ラベルは、情報を印刷又は直接記入可能な領域を有する第一表示部と第二表示部と、被着体に巻き付けられ、何れか一方に粘着層露出部を有する第一巻付部と第二巻付部と、粘着層露出部が貫通する孔又は／及び切れ目をそれぞれ有する第一貫通部と第二貫通部とを有し、台紙の面と平行の第一方向に、第一表示部、第一貫通部、第一巻付部の順に並んで連結され、第一方向、又は第一方向の反対方向である第二方向に、第二表示部、第二貫通部、第二巻付部の順に並んで連結され、第一表示部と第二表示部、第一貫通部と第二貫通部、第一巻付部と第二巻付部、の内の少なくとも一つの組みが第一ラインを介して連結され、第一表示部の少なくとも一部と第二表示部の少なくとも一部は、第一ラインを直線状に延ばした仮想ラインを基準として対称となる位置に配置され、第一貫通部の少なくとも一部と第二貫通部の少なくとも一部は、第一ラインを直線状に延ばした仮想ラインを基準として対称となる位置に配置され、第一巻付部の少なくとも一部と第二巻付部の少なくとも一部は、第一ラインを直線状に延ばした仮想ラインを基準として対称となる位置に配置され、第一貫通部の孔又は／及び切れ目の少なくとも一部と第二貫通部の孔及び／又は切れ目の少なくとも一部は、第一ラインを直線状に延ばした仮想ラインを基準として対称となる位置に配置されることを特徴とする。第一表示部の少なくとも一部、第一貫通部の少なくとも一部、第一巻付部の少なくとも一部と第二表示部の少なくとも一部、第二貫通部の少なくとも一部、第二巻付部の少なくとも一部とをラインで山折りにして互いに貼り合わせた後、粘着露出層を巻いたり又は折り畳んで貫通部材を形成する。第一貫通部と第二貫通部とを貼りあわせて形成された貫通部の孔又は／及び切れ目に形成した貫通部材を貫通させ、ケーブルなどの被着体に取り付ける。これにより、被着体にラベルが接着されないので、ラベルの位置を変更したり、ラベルを取り外したりすることが容易にできる。
【０００７】
第一形態において、ラベル媒体は、第一表示部の少なくとも一部と第一貫通部の少なくとも一部、第一貫通部の少なくとも一部と第一巻付部の少なくとも一部、又は第一表示部の少なくとも一部と第一貫通部の少なくとも一部と第一巻付部の少なくとも一部は、第一方向に重なり、第二表示部の少なくとも一部と第二貫通部の少なくとも一部、第二貫通部の少なくとも一部と第二巻付部の少なくとも一部、又は第二表示部の少なくとも一部と第二貫通部の少なくとも一部と第二巻付部の少なくとも一部は、第一方向に重なっても良い。
【０００８】
第一形態において、ラベル媒体は、第一巻付部の少なくとも一部と、第一貫通部の孔又は／及び切れ目の少なくとも一部は、第一方向に重なり、第二巻付部の少なくとも一部と、第二貫通部の孔又は／及び切れ目の少なくとも一部は、第一方向に重なっても良い。
【０００９】
第一形態において、ラベル媒体は、粘着層露出部の第一方向に直交する第三方向の最大長さの第一長さが、第一巻付部と第二巻付部の粘着層露出部以外の第三方向の最大長さの第二長さより長くても良い。粘着層露出部の第三方向が第二長さより長い。従って、粘着層露出部により形成される貫通部材を孔又は／及び切れ目に通した後、巻付部を孔又は／及び切れ目を係合した際に、ラベルが被着体から意図せず外れ難くなる。
【００１０】
第一形態において、ラベル媒体は、孔又は／及び切れ目の第一方向の最大長さの第三長さは第一長さ以上であっても良い。孔又は／及び切れ目の第一方向の最大長さの第三長さは第一長さ以上なので、粘着層露出部により形成される貫通部材を通しやすい。
【００１１】
第一形態において、ラベル媒体は、孔又は／及び切れ目の第三方向の最大長さの第四長さは、第二長さ以上であっても良い。孔又は／及び切れ目の第四長さは巻付部の第二長さ以上なので、粘着層露出部により形成される貫通部材を孔又は／及び切れ目の第三方向に係合し易い。
【００１２】
第一形態において、ラベル媒体は、第一長さが、孔又は／及び切れ目の第一方向の最大長さの第三長さと等しくても良い。粘着層露出部により形成される貫通部材の第一長さと、孔又は／及び切れ目の第三長さが等しいので、使用者は、被着体にラベルを容易に脱着でき、貫通部材が意図せず外れ難い。
【００１３】
第一形態において、ラベル媒体は、第二長さが、孔又は／及び切れ目の第三方向の最大長さの第四長さと等しくても良い。巻付部の第二長さと、孔又は／及び切れ目の第四長さが等しいので、ラベルを被着体に取り付け後、表示部の向きがずれ難い。
【００１４】
第一形態において、ラベル媒体は、ラベルは、第一巻付部と第二巻付部との内で粘着層露出部を有さない一方と連結する第一貫通部又は第二貫通部の連結側と反対側に延び、粘着層露出部の一部を被覆する被覆部を更に有することを特徴とする。第一表示部、第一貫通部、第一巻付部と第二表示部、第二貫通部、第二巻付部を互いに貼り合わせてラベルを形成した時、粘着被覆部の一部分を他方の被覆部が覆う。故に、貫通部と巻付部の結合部が補強されるので、脱着時等にラベルが壊れ難くなる。
【００１５】
第一形態において、ラベル媒体は、粘着層露出部は、先端部に向かって先細り形状であっても良い。粘着層露出部の先端部の形状を先細りにすることで、貫通部を形成し易くすることが可能となる。
【００１６】
第一形態において、ラベル媒体は、第一貫通部と第二貫通部が第一ラインを介して連結されても良い。第一貫通部と第二貫通部が第一ラインを介して連結されているので、貼り合わせてラベルを形成し易い。
【００１７】
本開示の第二形態に係るラベル媒体は、台紙と、粘着層を介し台紙に貼られたラベルと、を含むラベル媒体であって、ラベルは、情報を印刷又は直接記入可能な領域を有する第一表示部と第二表示部と、環を形成するための、何れか一方に粘着層露出部を有する第一環形成部と第二環形成部と、を有し、台紙の面と平行の第一方向に、第一表示部、第一環形成部の順に並んで連結され、第一方向又は第一方向の反対方向である第二方向に、第二表示部、第二環形成部の順に並んで連結され、第一表示部と第二表示部、第一環形成部と第二環形成部、の内の少なくとも一つの組みが第一ラインを介して連結され、第一表示部の少なくとも一部の第二表示部の少なくとも一部は、第一ラインを直線状に延ばした仮想ラインを基準として対称となる位置に配置され、第一環形成部の少なくとも一部と第二環形成部の少なくとも一部は、第一ラインを直線状に延ばした仮想ラインを基準として対称となる位置に配置されても良い。第一表示部の少なくとも一部、第一環形成部の少なくとも一部と第二表示部の少なくとも一部、第二環形成部の少なくとも一部とをラインで山折りにして互いに貼り合わせた後、粘着層露出部を第一表示部と第二表示部を貼り合わせて形成した表示部又は第一環形成部と第二環形成部とを貼りあわせて形成した環形成部に貼り付け環を形成する。形成した環に形成した表示部を通し、ケーブルなどの被着体に取り付ける。これにより、被着体にラベルが接着されないので、ラベルの位置を変更したり、ラベルを取り外したりすることが容易にできる。
【００１８】
第二形態において、ラベル媒体は、第一表示部の少なくとも一部と第一環形成部の少なくとも一部は、第一方向に重なり、第二表示部の少なくとも一部と第二環形成部の少なくとも一部は、第一方向に重なっても良い。
【００１９】
第二形態において、ラベル媒体は、第一表示部と第二表示部、第一貫通部と第二貫通部、第一環形成部と第二環形成部、の内の少なくとも一つの組みが同一形状且つ同一サイズであっても良い。第一表示部と第二表示部、第一貫通部と第二貫通部、第一環形成部と第二環形成部、の内の少なくとも一つの組みが同一形状且つ同一サイズなので、貼り合わせてラベルを形成し易い。
【００２０】
第二形態において、ラベル媒体は、粘着層露出部の第一方向に直交する第三方向の最大長さの第一長さが、第一環形成部と第二環形成部の粘着層露出部以外の第三方向の最大長さの第二長さ以下、又は、第一長さが、第一表示部と第二表示部の第三方向の最大長さの第五長さ以下であっても良い。表示部を通す環を形成する際に、粘着層露出部の第一長さ（幅）が貼り付け場所（表示部又は環形成部）の第二長さ又は第五長さ（幅）以下であるので、粘着層露出部がはみ出ない。故に、被着体に粘着層露出部が接着してしまうことを防止でき、ラベルの位置の変更や取り外しなどが容易にできる。
【００２１】
第二形態において、ラベル媒体は、ラベルは、第一環形成部と第二環形成部との内で粘着層露出部を有さない一方と連結する第一表示部又は第二表示部の連結側と反対側に延び、粘着層露出部の一部を被覆する被覆部を更に有しても良い。第一表示部、第一環形成部と第二表示部、第二環形成部を互いに貼り合わせてラベルを形成した時、粘着被覆部の一部分を他方の被覆部が覆う。故に、貫通部と環形成部の結合部が補強されるので、脱着時等にラベルが壊れ難くなる。
【００２２】
第一形態又は第二形態において、ラベル媒体は、第一ラインは第一方向に延びても良い。両側を連結し、ラベルを形成する際の基準となる第一ラインをより長くすることができるので、ラベルの形成がより容易となる。
【００２３】
第一形態又は第二形態において、ラベル媒体は、第一ラインは第一方向と直交し、ラベルの短尺方向と平行の第三方向に延びても良い。第一ラインを第三方向に延びるように形成することで、表示部の第五長さを長くすることができるので、より多くの情報を印刷又は直接記入することができる。
【００２４】
第一形態又は第二形態において、ラベル媒体は、第一ラインはミシン目であっても良い。ミシン目であるので、適切な位置で折り易く、貼り合わせ時の位置ずれを抑制することが可能となる。
【００２５】
第一形態又は第二形態において、ラベル媒体は、ラベル側に粘着層を設けるようにしても良い。台紙からラベルを容易に剥がすことができ、ラベル側に粘着層があるので、接着剤を塗ることなく貼り合わせてラベルを形成することができる。
【００２６】
第一形態又は第二形態において、ラベル媒体は、台紙の第一ラインに対向する直線部をミシン目又は切れ目で形成するようにしても良い。例えば、台紙に貼られた状態でラベルを適切な位置で折り易いので、台紙から剥がして貼り合わせた時に位置ずれの発生を抑制することができる。
【００２７】
第一形態又は第二形態において、ラベル媒体は、台紙は長尺形状であり、複数のラベルが台紙に長尺方向に並んで貼られていても良い。一つの台紙に複数のラベルが貼られているので、持ち運びが便利で、管理し易い。
【００２８】
第一形態又は第二形態において、ラベル媒体は、ラベルとラベル以外の部分の枠部とを組み合わせた形状は、台紙と同一形状であり、ラベルと枠部との境界に切れ目が形成されていても良い。枠部があるため、ラベルが意図せず剥がれてしまうことを抑制できる。
【００２９】
第一形態又は第二形態において、ラベル媒体は、台紙にラベルのみが貼り付けられていても良い。台紙からラベルを剥がし易くできる。
【００３０】
第一形態又は第二形態において、ラベル媒体は、第一表示部と第二表示部が第一ラインを介して連結されても良い。第一表示部と第二表示部が第一ラインを介して連結されているので、貼り合わせ易く、ラベルを形成し易い。
【００３１】
第一形態又は第二形態において、ラベル媒体は、ラベルは、第一巻付部、第二巻付部又は第一環形成部、第二環形成部の少なくとも一方の第三方向の両側又は片側に第二ラインを介して連結されており、第一巻付部、第二巻付部又は第一環形成部、第二環形成部を貼り合わせて形成された巻付部又は環形成部を補強する、一又は複数の補強部を更に有しても良い。巻付部又は環形成部を補強できるので、ラベルの耐久性を向上させることができる。
【００３２】
本開示の第三形態に係るカセットは、請求項１乃至１１の何れか一に記載のラベル媒体がスプールに巻回されたロールを含むカセットであって、ラベル媒体のうちスプールに接続する側から反対側に向けて、ラベルは、第一巻付部、第一貫通部、第一表示部の順に並んで配置され、且つ、第二巻付部、第二貫通部、第二表示部の順に並んで配置されていることを特徴とする。カセットが印刷装置に装着されて使用された場合、ラベルの巻付部と貫通部がヘッドの近傍を通過した後、ラベルの表示部がヘッドの近傍を通過する。なお、印刷装置は、ヘッドの近傍を表示部が通過するときに、表示部に情報を印刷する。故に、印刷装置によって、ラベルの搬送直後に印刷を実行できない場合でも、表示部に対する印刷を適切に実行できる。また、巻付部と貫通部が通過後に印刷を開始するので、印刷の開始タイミングを適切に設定することができる。
【００３３】
本開示の第四形態に係るカセットは、請求項１２乃至１６の何れか一に記載のラベル媒体がスプールに巻回されたロールを含むカセットであって、ラベル媒体のうちスプールに接続する側から反対側に向けて、ラベルは、第一環形成部、第一表示部の順に並んで配置され、且つ、第二環形成部、第二表示部の順に並んで配置されていることを特徴とする。カセットが印刷装置に装着されて使用された場合、ラベルの環形成部がヘッドの近傍を通過した後、ラベルの表示部がヘッドの近傍を通過する。なお、印刷装置は、ヘッドの近傍を表示部が通過するときに、表示部に情報を印刷する。故に、印刷装置によって、ラベルの搬送直後に印刷を実行できない場合でも、表示部に対する印刷を適切に実行できる。また、環形成部が通過後に印刷を開始するので、印刷の開始タイミングを適切に設定することができる。
【図面の簡単な説明】
【００３４】
【図１】印字装置１の斜視図である。
【図２】カバー５を開けた状態の印字装置１の斜視図である。
【図３】保護部３６の一部を切り欠いた平面図である。
【図４】テープカセット６の上ケース６７１を取り外した場合の平面図である。
【図５】第一ラベル媒体６０を示す図である。
【図６】孔５３Aの第三長さと第四長さを示す図である。
【図７】切れ目５３Bの第三長さと第四長さを示す図である。
【図８】台紙５１２に枠部５０とラベル５１が貼り付けられている状態を示す図である。
【図９】台紙５１２の裏面の切れ目５１２B又はミシン目５１２Cを示す図である。
【図１０】ラベル６０の被着体８への取り付け方法を説明する図である。
【図１１】第二ラベル媒体６０を示す図である。
【図１２】第三ラベル媒体６０を示す図である。
【図１３】第四ラベル媒体６０を示す図である。
【図１４】第五ラベル媒体６０を示す図である。
【図１５】第六ラベル媒体６０を示す図である。
【図１６】第七ラベル媒体６０を示す図である。
【図１７】第七ラベル媒体６０を示す図である。
【図１８】第八ラベル媒体６０を示す図である。
【図１９】第九ラベル媒体６０を示す図である。
【図２０】第十ラベル媒体６０を示す図である。
【図２１】第十一ラベル媒体６０を示す図である。
【発明を実施するための形態】
【００３５】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００３６】
＜印字装置１の概略構成＞
本実施形態に係る印字装置１の概略構成について、図１乃至図３を参照して説明する。以下の説明では、図１の上方、下方、右下方、左上方、右上方、左下方を、それぞれ、印字装置１の上方、下方、右方、左方、前方、後方と定義する。
【００３７】
図１に示すように、印字装置１の形状は、略直方体状である。印字装置１は、本体筐体２とカバー５とを有する。本体筐体２およびカバー５は樹脂製である。本体筐体２の上面の下側部分には、キーボード１１が設けられる。キーボード１１は種々の文字入力等を行う。キーボード１１の上方には、機能キー群１２が設けられる。機能キー群１２は、電源の入切、印字キーや印字装置１の各種制御を行う。機能キー群１２の上方には、液晶ディスプレイ１３が設けられる。液晶ディスプレイ１３は、入力した文字や記号等を表示する。カバー５は、本体筐体２の後側に開閉自在に取り付けられる。
【００３８】
図２、図３に示すように、本体筐体２の右下側角部には、３本の電池を着脱可能な電池装着部２１が設けられる。電池装着部２１の上側に隣接して、カセット装着部２２が設けられる。カセット装着部２２は、テープカセット６を後方から着脱可能である。カセット装着部２２の下端部から後方に向けてフック２５１が突出し、カセット装着部２２の上端部から後方に向けてフック２５２が突出する。フック２５１、２５２は、カセット装着部２２に装着されたテープカセット６に係合可能である。
【００３９】
本体筐体２の上側には、ラベル排出口２６が設けられる。ラベル排出口２６の右側の角部には、切断用ノブ１４が設けられる。切断用ノブ１４は、内側へ押圧操作されることによって、ラベル排出口２６の内側に設けられた可動刃１４１を固定刃１４２側へ移動させて、印刷済みテープを切断する。固定刃１４２と可動刃１４１とによって切断された印刷済みテープは、ラベル排出口２６から排出される。
【００４０】
図３に示すように、カセット装着部２２には、サーマルヘッド２９、プラテンローラ３０、テープサブローラ３１、テープ駆動ローラ軸３２およびリボン巻取軸３３等が配置される。プラテンローラ３０は、サーマルヘッド２９の右方に設けられる。テープサブローラ３１は、プラテンローラ３０の上側近傍に設けられる。テープ駆動ローラ軸３２は、テープサブローラ３１の左側に設けられる。リボン巻取軸３３は、カセット装着部２２の略中央に設けられる。
【００４１】
サーマルヘッド２９は、ヘッドホルダ２９１の右方を向く面に配設される。ヘッドホルダ２９１は、テープカセット６のヘッド挿入部６２におけるラベル媒体６０（図４参照）の搬送方向に略直交するように、カセット装着部２２に設けられる。
【００４２】
リボン巻取軸３３は、テープカセット６に設けられたリボン巻取スプール６３１に嵌入されて回転駆動する。テープ駆動ローラ軸３２は、テープカセット６に設けられたテープ送りローラ６３２に嵌入されて回転駆動する。リボン巻取軸３３とテープ駆動ローラ軸３２とは、ラベル媒体６０とインクリボン６１３（図４参照）とが同じ搬送速度で搬送されるように回転駆動される。
【００４３】
図２に示すように、本体筐体２の上下方向略中央より上側の右端部には、保護部３６が設けられる。保護部３６は、左方へ開口する。保護部３６には、貫通孔であるカム案内孔３６１およびカム案内孔３６２が形成される。保護部３６の上方には、図３に示すプラテンホルダ３８が、回動軸３７を中心に回動可能に軸支される。プラテンローラ３０とテープサブローラ３１とが、プラテンホルダ３８によって、平面視反時計回りに回転可能に軸支される。非図示のバネは、プラテンホルダ３８が回動軸３７を中心に右方へ回動するように付勢する。
【００４４】
＜テープカセット６の概略構成＞
テープカセット６の概略構成について説明する。なお、以下の説明では、図４の下方、上方、右方、左方、紙面前方、および紙面後方を、それぞれ、テープカセット６の前方、後方、右方、左方、上方、および下方とする。
【００４５】
図２に示すように、テープカセット６の形状は、平面視略長方形の箱型状である。テープカセット６は、上ケース６７１（図２参照）及び下ケース６７２を有する。図４に示すように、テープカセット６には、支持孔７１１、支持孔７１２、および支持孔７１３が形成される。支持孔７１１は、テープスプール７２を回動可能に支持する。ラベル媒体６０は、テープスプール７２に巻回される。テープスプール７２は、ラベル媒体６０が巻回されたロール６００を保持する。支持孔７１２は、リボン巻取スプール６３１を支持する。リボン巻取スプール６３１は、リボンスプール７４からインクリボン６１３を巻き取る。テープスプール７２およびリボンスプール７４は、それぞれ、下ケース６７２の下面に立設されたカセットボス７５１およびリールボス７５２に回転可能に嵌挿される。支持孔７１３は、テープ送りローラ６３２を回転可能に支持する。テープ送りローラ６３２とテープサブローラ３１（図３参照）とにより、テープスプール７２からラベル媒体６０を引き出す。
【００４６】
テープカセット６の前面部には、アーム状に突出するアーム部６５が設けられる。ヘッド挿入部６２は、アーム部６５とアーム部６５に対向する側壁部７８１とによって、平面視略Ｕ字状に形成される。ヘッド挿入部６２には、ヘッドホルダ２９１（図３参照）が挿入される。
【００４７】
テープ送りローラ６３２の前側近傍には、上下一対の案内部材６９が設けられる。案内部材６９の後側近傍には、リボン分離部７６が設けられる。アーム部６５の前面壁部７０と、ヘッド挿入部６２側の背面壁部７８３との間の中央部には、薄板状の分離壁７８２が設けられる。分離壁７８２の左側近傍には、アーム開口部７９が形成される。
【００４８】
＜印刷手順の概要＞
図２、図３、図４に示すように、テープカセット６のリボン巻取スプール６３１およびテープ送りローラ６３２に、それぞれ、リボン巻取軸３３およびテープ駆動ローラ軸３２が嵌入されつつ、ヘッド挿入部６２にヘッドホルダ２９１が挿入される。カセット装着部２２の底面部に立設された位置決ボス４１が、カセットボス７５１に嵌入される。これにより、テープカセット６が位置決めされた状態で押し込まれる。これにより、テープカセット６はカセット装着部２２に装着される。テープカセット６がカセット装着部２２に装着された後、カバー５が閉じられる。カバー５が閉じた場合、カバー５に設けられたローラホルダカム（非図示）が、カム案内孔３６１に嵌入される。ローラホルダカムは、プラテンホルダ３８を左方へ押圧する。プラテンホルダ３８は、非図示のバネの付勢力に抗して左方へ回動される。
【００４９】
ラベル媒体６０は、テープスプール７２からガイドピン７３２を経てアーム部６５の前面壁部７０と分離壁７８２との間を搬送される。インクリボン６１３は、リボンスプール７４からガイドピン７３３を経てアーム部６５の背面壁部７８３と分離壁７８２との間を搬送される。次いで、インクリボン６１３とラベル媒体６０とは、重ね合わされてアーム開口部７９からヘッド挿入部６２へ搬送される。次いで、ラベル媒体６０とインクリボン６１３とは、プラテンローラ３０によってサーマルヘッド２９に押圧される。サーマルヘッド２９の発熱により、インクリボン６１３の上から加熱して、ラベル媒体６０にインクを熱転写し、文字等の印刷データが印刷される。次いで、インクリボン６１３は、リボン分離部７６によってラベル媒体６０から分離される。分離されたインクリボン６１３は、ガイドピン７３１を経てリボン巻取スプール６３１に巻き取られる。リボン分離部７６によってインクリボン６１３が分離された印刷済みテープは、案内部材６９によって上下方向に規制されてテープ送りローラ６３２へ搬送される。次いで、印刷済みテープは、テープ駆動ローラ軸３２によって回転駆動されるテープ送りローラ６３２に対し、テープサブローラ３１によって押圧される。次いで、印刷済みテープは、テープ送りローラ６３２の回転によりラベル排出口２６から排出される。
【００５０】
＜第一ラベル媒体６０＞
図５を参照し、ラベル媒体６０の第一位実施形態である第一ラベル媒体６０について説明する。印字装置１により後述する表示部５２に情報が印刷される場合を例にして説明するが、表示部５２に情報を直接記載するようにしてもよい。第一ラベル媒体６０は、それぞれが長尺状の基材５１１及び台紙５１２を有する。基材５１１は複数の部分基材５１１Ａが長尺方向に連結され構成されている。同様に、台紙５１２は、複数の部分台紙５１２Ａが長尺方向に連結され構成されている。各部分基材５１１Ａと部分台紙５１２Ａとは同一形状を有し、固定刃１４２と可動刃１４１とによって第一ラベル媒体６０から同時に切断される。基材５１１は、各部分基材５１１Ａに、ラベル５１Ａ、５１Ｂ、５１Ｃ・・・（総称して「ラベル５１」という。）、及び、枠部５０Ａ，５０Ｂ，５０Ｃ，・・・（総称して「枠部５０」という。）を夫々有する。つまり、ラベル５１Ａ、５１Ｂ、５１Ｃ・・・は、第一ラベル媒体６０の長尺方向に並んで配置される。但し、印字装置１は、任意の位置でラベル媒体６０を切断可能であるので、ユーザの切断方法によっては、切断片は複数のラベル５１を有する場合がある。ラベル５１には、インクリボン６１３のインクが転写される。台紙５１２は、ラベル５１の使用時に剥離される剥離紙である。基材５１１と台紙５１２とは粘着層を介して積層されている。粘着層は基材５１１側が有する。各ラベル５１及び枠部５０は、粘着層によって部分台紙５１２Ａに貼付される。図５の前後方向は、第一ラベル媒体６０の長尺方向に対応する。第一ラベル媒体６０のうち図５の前側の端部は、テープスプール７２に接続する。第一ラベル媒体６０の切断片（部分基材５１１Ａ，部分台紙５１２Ａ）  は、印字装置１による印刷後、図５の前側の端部側から順にラベル排出口２６を介して排出される。
【００５１】
以下、台紙５１２の長尺方向又は短尺方向のうちの一方の方向を第一方向という。つまり、図５の例では、ラベル媒体６０の長尺方向と部分台紙５１２Ａの長尺方向とが平行に、ラベル媒体６０上に複数のラベル５１が並んでいるが（縦並びとも言う。）、ラベル媒体６０の長尺方向と部分台紙５１２Ａの短尺方向とが平行に、ラベル媒体６０上に複数のラベル５１が並んでいても良い（横並びとも言う）。第一方向と反対側の方向を、「第二方向」という。第一方向及び第二方向とは平行である。第一方向と第二方向と直交する方向を「第三方向」という。本第一実施形態では、ラベル媒体６０の長尺方向のうちテープスプール７２に接続する側を第一方向とし、ラベル媒体６０に部分台紙５１２Ａが縦並びしている場合を例にして説明する。
【００５２】
図５に示すように、ラベル５１は、第一表示部５２１、第二表示部５２２、第一貫通部５３１、第二貫通部５３２、第一巻付部５４１、第二巻付部５４２、粘着層露出部５５、被覆部５６を有する。特に区別する必要が無い場合には、第一表示部５２１と第二表示部５２２を「表示部５２」、第一貫通部５３１と第二貫通部５３２を「貫通部５３」、第一巻付部５４１と第二巻付部５４２を「巻付部５４」という。
【００５３】
第一表示部５２１及び第二表示部５２２は同一形状且つ同一サイズを有する。第一貫通部５３１、第二貫通部５３２は同一形状且つ同一サイズを有する。第一巻付部５４１及び第二巻付部５４２は同一形状且つ同一サイズを有する。例えば、図５に示すように、第一巻付部５４１に粘着層露出部５５が、第二巻付部５４２に被覆部５６が夫々連結されている場合、第一表示部５２１、第一貫通部５３１、第一巻付部５４１、粘着層露出部５５は、この順番で第一方向に並ぶ。つまり、第一表示部５２１、第一貫通部５３１、第一巻付部５４１、粘着層露出部５５は、この順番で、テープスプール７２に接続する側に向けて順番に並ぶ。第二表示部５２２、第二貫通部５３２、第二巻付部５４２、被覆部５６は、この順番で第一方向に並ぶ。つまり、第二表示部５２２、第二貫通部５３２、第二巻付部５４２、被覆部５６は、この順番で、テープスプール７２に接続する側に向けて順番に並ぶ。 なお、第一表示部５２１、第一貫通部５３１と、第二表示部５２２、第一貫通部５３１は、第一方向に少なくとも一部が夫々連結していれば（重なっていれば）良い。同様に、第一貫通部５３１、第一巻付部５４１と、第二貫通部５３２、第二巻付部５４２は、第一方向に少なくとも一部が夫々連結していれば（重なっていれば）良い。また、第一表示部５２１、第一貫通部５３１と、第二表示部５２２、第一貫通部５３１は、第一方向に夫々連結していなくても（重なっていなくても）良い。同様に、第一貫通部５３１、第一巻付部５４１と、第二貫通部５３２、第二巻付部５４２は、第一方向に夫々連結していなくても（重なっていなくても）良い。更に、第一表示部５２１、第一貫通部５３１と、第二表示部５２２、第一貫通部５３１は、第三方向の側に一部が夫々連結していても良い。同様に、第一貫通部５３１、第一巻付部５４１と、第二貫通部５３２、第二巻付部５４２は、第三方向側に一部が夫々連結していても良い。
【００５４】
表示部５２は略長方形である。表示部５２の長手方向は第一ラベル媒体６０の長尺方向に延びる。第一表示部５２１及び第二表示部５２２は第三方向に並ぶ。本第一実施形態では、第一表示部５２１と第二表示部５２２は第一ライン５７１を介して互いに連結されている。本第一実施形態においては、第一ライン５７１は、第一ラベル媒体６０の長尺方向と平行に延びる。第一ライン５７１は、基材５１１に形成されたミシン目である。第一表示部５２１及び第二表示部５２２は、第一ライン５７１を基準として線対称となる位置に配置される。 表示部５２の第三方向の最大長さは、「第五長さ」という。
【００５５】
表示部５２はインクリボン６１３のインクが転写されることによって情報が印刷される領域を有する。第一表示部５２１が有する情報が印刷される領域を、「第一領域５２１Ａ」といい、第二表示部５２２が有する情報が印刷される領域を、「第二領域５２２Ａ」という。
【００５６】
貫通部５３は、表示部５２と巻付部５４との間に配置され、図６と図７が示すように、楕円状の孔５３Ａ又はＴ字の切れ目５３Ｂを有している。孔５３Ａの長径は長尺方向と平行であり、短径は第三方方向と平行である。本第一実施形態では、第一貫通部５３１と第二貫通部５３２は第一ライン５７１を介して互いに連結されている。第一貫通部５３１と第二貫通部５３２は、第一ライン５７１を基準として線対称となる位置に配置される。貫通部は、孔５３Ａ又はＴ字の切れ目５３Ｂに、粘着層露出部５５により形成された係止部５５１を通すことにより、被着体８にラベル５１を保持する機能を有する。孔５３Ａ又はＴ字の切れ目５３Ｂの第一方向の最大長さと、第三方向の最大長さは、「第三長さ」、「第四長さ」と夫々いう。図６と図７に示すように、第三長さは第四長さより長い。Ｔ字の切れ目５３Ｂの場合は、第一方向の切れ目の長さが第三長さとなり、第三方向の切れ目の長さが第四長さとなる。なお、孔５３Ａは、楕円に限定させるものではなく、長方形などであってもよい。また、Ｔ字の切れ目５３Ｂではなく十字の切れ目であっても良い。
【００５７】
巻付部５４は略長方形である。第一巻付部５４１と第二巻付部５４２は、第一ライン５７１を貫通部５３と連結している側の反対方向且つ長尺方向に直線状に延長した仮想ラインを基準として線対称となる位置に配置される。巻付部５４の長手方向は第一ラベル媒体６０の長尺方向に延びる。巻付部５４の第三方向の最大長さは、「第二長さ」という。
【００５８】
巻付部５４の内の一方には、粘着層露出部５５が連結されている。粘着層露出部５５は、先端部が第三方向に対して傾斜した先細り状に形成され、先端部の第三方向の長さは、第一方向に向かう程短くなる。つまり、先端部はテーパ状でなくても良く、単に先細り状になっていれば良い。こうすることで、第一表示部５２１と第二表示部５２２、第一貫通部５３１と第二貫通部５３２、第一巻付部５４１と第二巻付部５４２、粘着層露出部５５と被覆部５６と、を互いに夫々貼り合わせた後に、粘着層露出部５５を先端部から幾重にも折り曲げて、又は、巻き上げて係止部５５１を形成することが容易となる。係止部５５１は、上述したように、貫通部５３の孔５３Ａ又はＴ字の切れ目５３Ｂに通すことで、被着体８にラベル５１が保持される。
【００５９】
巻付部５４の内で、粘着層露出部５５を有さない巻付部５４には、被覆部５６が連結されている。被覆部５６は、被覆部５６を有する巻付部５４に連結している貫通部５３との連結側と反対方向に延び、粘着層露出部５５と貼り合わせて露出している粘着層の一部を被覆する。つまり、粘着層露出部５５は、被覆部５６と貼り合わせた際に、粘着層が露出する。粘着層露出部５５の第三方向の最大長さは、「第一長さ」という。図５の例では、第一巻付部５４１に粘着層露出部５５が、第二巻付部５４２に被覆部５６が夫々連結される。
【００６０】
粘着層露出部５５の第一長さは、孔５３Ａ又はＴ字の切れ目５３Ｂの第三長さと略等しい。こうすることで、係止部５５１を孔５３Ａ又はＴ字の切れ目５３Ｂに通し易くできる。巻付部５４の第二長さは、孔５３Ａ又はＴ字の切れ目５３Ｂの第四長さと略等しい。こうすることで、係止部５５１を孔５３Ａ又はＴ字の切れ目５３Ｂに通した後、例えば、Ｔ字の切れ目５３Ｂである場合には、巻付部５４が第三方向の切れ目に係止する。第四長さと第二長さは略等しいことから、左右に遊びがほぼ無いので、表示部５２が見え易い状態を保持できる。また、左右に遊びがほぼ無いので、ラベル５１の耐久性を向上させることができる。なお、第三長さは第一長さ以上であっても良いし、第四長さは第二長さ以上であっても良い。また、第一長さは、第五長さ以下であれば良い。
【００６１】
枠部５０は、基材５１１のうちラベル５１を除く部位である。図８に示すように、基材５１１のうちラベル５１と枠部５０との境界部分には、切れ目が形成される。使用者は、基材５１１を切れ目によって切り離すことによって、台紙５１２からラベル５１のみを剥がすことができる。この時、枠部５０が台紙５１２に貼付された状態は維持される。こうすることで、意図せずラベル５１が剥がれてしまうのを抑制することができる。また、枠部５０は無くてもよい。つまり、台紙５１２にラベル５１のみが接着されている状態であってもよい。こうすることで、台紙５１２からラベル５１をより容易に剥がすことができる。
【００６２】
台紙５１２は、図９に示すように、ラベル５１の第一ライン５７１に対向する位置に切れ目５１２B又はミシン目５１２Cを有する。図９は、台紙５１２を裏面から見た図であり、図中の点線は台紙５１２の表面に粘着層を介して貼り付けられたラベル５１と枠部５０を示す仮想線である。図中の実線は、切れ目５１２B又はミシン目５１２Cを示している。こうすることで、台紙５１２に貼られた状態のラベル５１を適切な位置で山折りにし易く、台紙５１２からラベル５１を剥がして貼り合わせた際に位置ズレを抑制することができる。
【００６３】
＜被着体８へのラベル５１の取り付け＞
図１０を参照して、例えば、ケーブル等の被着体８にラベル５１を取り付ける手順を説明する。図１０（ａ）に示すように、まず、台紙５１２からラベル５１を剥がす。次に、第一ライン５７１に沿って山折りにして、第一ライン５１７を基準にして両側を貼り合わせる。図１０（ｂ）は、貼り合わせた後のラベル５１であって、粘着層露出部５５の粘着層が裏面にある状態を示している。図１０（ｃ）は、貼り合わせた後のラベル５１であって、粘着層露出部５５の粘着層が表面にある状態を示している。次に、図１０（ｄ）に示すように、粘着層露出部５５の先端から巻き上げて係止部５５１を形成する。次に、図１０（ｅ）に示すように、係止部５５１を形成したラベル５１の巻付部５４を被着体８に接触させる。次に、図１０（ｆ）に示すように、巻付部５４を被着体８に接触させた位置を基点として巻付部５４を折り曲げる。次に、図１０（ｇ）に示すように、ラベル５１の係止部５５１を貫通部５３の孔５３Ａ又はＴ字の切れ目５３Ｂに通して、ラベル５１を被着体８に取り付ける。図１０の例は、貫通部５３がＴ字切れ目５３Ｂを有している場合の例である。
【００６４】
＜第二ラベル媒体６０＞
第一実施形態では、第一ライン５７１が第一表示部５２１、第一貫通部５３１と、第二表示部５２２、第二貫通部５３２を夫々連結している。本第二実施形態における第一ライン５７１は、図１１に示すように、第一貫通部５３１と第二貫通部５３２のみを連結している。第一表示部５２１、第二表示部５２２と、第一巻付部５４１、第二巻付部５４２は、第一ラインを直線状に延ばした仮想ラインを基準として線対称である。
【００６５】
＜第三ラベル媒体６０＞
第一実施形態では、第一ライン５７１が第一表示部５２１、第一貫通部５３１と、第二表示部５２２、第二貫通部５３２を夫々連結している。本第三実施形態における第一ライン５７１は、図１２に示すように、第一表示部５２１と第二表示部５２２のみを連結している。第一貫通部５３１、第二貫通部５３２と、第一巻付部５４１、第二巻付部５４２は、第一ラインを直線状に延ばした仮想ラインを基準として線対称である。
【００６６】
＜第四ラベル媒体６０＞
第一実施形態では、第一ライン５７１が第一表示部５２１、第一貫通部５３１と、第二表示部５２２、第二貫通部５３２を夫々連結している。本第四実施形態における第一ライン５７１は、図１３に示すように、第一巻付部５４１、粘着層露出部５５と第二巻付部５４２、被覆部５６を連結している。第一表示部５２１、第二表示部５２２と、第一貫通部５３１、第二貫通部５３２は、第一ラインを直線状に延ばした仮想ラインを基準として線対称である。本第四実施形態では、第一巻付部５４１、第一貫通部５３１と第二巻付部５４２、第二貫通部５３２を夫々連結するように第一ライン５７１を形成しても良い。また、第一巻付部５４１、第一貫通部５３１、第一表示部５２１と第二巻付部５４２、第二貫通部５３２、第二表示部５２２を夫々連結するように第一ライン５７１を形成しても良い。更に、第一巻付部５４１と第二巻付部５４２のみを連結するように第一ライン５７１を形成しても良いし、粘着層露出部５５と被覆部５６のみを連結するように第一ライン５７１を形成しても良い。
【００６７】
＜第五ラベル媒体６０＞
第一実施形態では、第一ライン５７１が長尺方向と平行である。本第五実施形態では、図１４に示すように、第一ライン５７１は第三方向と平行に形成させる。第一表示部５２１が第一ライン５７１より第一方向側にあると仮定した場合、第一ライン５７１は第一表示部５２１の第一方向と反対側の端部と第二表示部５２２の第一方向側の端部とを連結している。本第五実施形態では、第一表示部５２１、第一貫通部５３１、第一巻付部５４１、粘着層露出部５５は、第一方向にこの順番で並んで連結されている。第二表示部５２２、第二貫通部５３２、第二巻付部５４２、被覆部５６は、第一方向の反対方向にこの順番で並んで連結されている。但し、図１４の例は、第一巻付部５４１に粘着層露出部５５が連結されている例であり、第二巻付部５４２に粘着層露出部５５が連結されていても、もちろん良い。本第五実施形態では、表示部５２の第五長さは、第一実施形態乃至第四実施形態の場合と比較して、表示部５２が第三方向に並んで配置されていないので、より長くすることができる。従って、より多くの情報を表示部に印刷又は直接記載することができる。
【００６８】
＜第六ラベル媒体６０＞
第一実施形態では、貫通部５３は孔５３Ａ又はＴ字の切れ目５３Ｂを有している。本第六実施形態では、図１５に示すように、孔と切れ目を組み合わせた貫通孔５３Ｃを有している。貫通孔５３Ｃは、図１５に示すように、長径が長尺方向（第一方向、第二方向）と平行な楕円と楕円の周縁部から外側方向に二本の切れ目が入っている。二本の切れ目は直線状に存在し、第三方向と平行である。図中の第三方向に平行な直線状の点線は仮想線であり、二本の切れ目は直線状に存在していることを示している。なお、長径が第三方向と平行で、切れ目が長尺方向に平行であってもよい。
【００６９】
＜第七ラベル媒体６０＞
本第七実施形態では、ラベル５１は、更に、補強部５８を有する。補強部５８は、巻付部５４を貼り合わせた後に、巻付部５４の上に貼り合わせることで、巻付部５４を補強する機能を有する。こうすることで、ラベル５１の耐久性を向上させることができる。本第七実施形態における補強部５８は、図１６と図１７に示すように、巻付部５４の何れか一方の巻付部５４の第三方向の両側に設けられている。巻付部５４と両側の補強部５８は、第二ライン５７２と第三ライン５７３を介して連結されている。図１６の例では、補強部５８は貫通部５３側と粘着層露出部５５側と非連結である。図１７の例では、補強部５８は貫通部５３側と非連結である。なお、補強部５８の長尺方向の長さは、巻付部５４の長尺方向の長さ以下であれば良く、配置の位置は、巻付部５４の第三方向の両側の何れの位置であってもよい。
【００７０】
＜第八ラベル媒体６０＞
本第八実施形態における補強部５８は、図１８に示すように、巻付部５４の何れか一方の巻付部５４の第三方向の片側に設けられている。図１８の例では、巻付部５４と補強部５８は、第二ライン５７２を介して連結されている。なお、この場合、補強部５８は、巻付部５４の何れか一方の巻付部５４の第三方向の何れか一方の側に第二ライン５７２又は第三ライン５７３の何れかを介して連結されても良い。
【００７１】
＜第九ラベル媒体６０＞
本第九実施形態における補強部５８は、図１９に示すように、両方の巻付部５４の第三方向の片側に設けられている。図１９の例では、巻付部５４と補強部５８は、第二ライン５７２を介して連結されている。なお、この場合、補強部５８は、両方の巻付部５４の第三方向の片側に第三ライン５７３を介して連結されても良い。
【００７２】
＜第十ラベル媒体６０＞
本第十実施形態における補強部５８では、複数の補強部５８が何れか一方の巻付部５４の第三方向の何れかの側に、第二ライン５７２又は第三ライン５７３の何れかを介して連結されている。図２０に示す例は、両方の巻付部５４の第三方向の両側に、第二ライン５７２又は第三ライン５７３の何れかを介して、複数の補強部５８が連結されている例を示している。
【００７３】
＜第十一ラベル媒体６０＞
第一実施形態乃至第十実施形態におけるラベル５１は、貫通部５３を有している。本第十一実施形態のラベル５１は、貫通部５３を有していない。本第十一実施形態では、第一貫通部５３１、第二貫通部５３２を、夫々、第一貼合部５３１、第二貼合部５３２と言い換える。また、貫通部５３を貼合部５３と言い換える。貼合部５３は、表示部５２の一部である。つまり、孔５３Ａ、Ｔ字の切れ目５３Ｂ等が無いので、係止部５５１を通すことができない。そこで、本第十一実施形態では、粘着層露出部５５を貼合部５３又は後述の環形成部５４に貼り合わせることで、環を形成する。そのため、本第十一実施形態では、第一巻付部５４１を第一環形成部５４１と、第二巻付部５４２を第二環形成部５４２と言い換える。また、巻付部５４を環形成部５４と言い換える。図２１に示すように、本第十一実施形態の粘着層露出部５５の先端は先細り状になっていない。こうすることで、表示部５２を広くすることができる。
【００７４】
本第十一実施形態では、第一実施形態と同様に、枠部５０は、有っても無くても良い。また、上記第二実施形態乃至第五実施形態、第七実施形態乃至第十実施形態は本第十一実施形態にも適用できる。また、粘着層露出部５５の第一長さが、環形成部５４の第二長さ以下、又は、第一長さが、表示部５２の第五長さ以下であってもよい。こうすることで、表示部５２を通す環を形成する際に、粘着層露出部５５の第一長さ（幅）が貼り付け場所（貼合部５３又は環形成部５４）の第二長さ又は第五長さ（幅）以下であるので、粘着層露出部５５がはみ出ない。故に、被着体８に粘着層露出部５５が接着してしまうことを防止でき、ラベル５１の位置の変更や取り外しなどが容易にできる。
【００７５】
ここで、図２１を参照して、ラベル５１の被着体８への取り付け方法について説明する。まず、台紙５１２からラベル５１を剥がす。図２１（ａ）は、台紙５１２からラベル５１を剥がした状態を示している。次に、図２１（ｂ）に示すように、第一ライン５７１を山折りにして第一ライン５７１の両側を貼り合わせる。次に、図２１（ｃ）に示すように、粘着層露出部５５を貼合部５３に貼り合わせることで、環形成部５４により表示部５２を通す環が形成される。上述したように、表示部５２を、粘着層露出部５５を貼合部５３に貼り合わせて形成した環に通すことで被着体にラベル５１を取り付ける。
【符号の説明】
【００７６】
６０      ラベル媒体
５１２    台紙
５０      枠部
５１      ラベル
５２１    第一表示部
５２２    第二表示部
５２１A  第一領域
５２２A  第二領域
５３１    第一貫通部、第一貼付部
５３２    第二貫通部、第二貼付部
５４１    第一巻付部、第一環形成部
５４２    第二巻付部、第二環形成部
５５      粘着層露出部
５６      被覆部
５３A    孔
５３B    切れ目
５１２B  台紙の切れ目
５１２C  台紙のミシン目
５７１    第一ライン
５７２    第二ライン
５７３    第三ライン
７２      テープスプール
６００    ロール
６        テープカセット
【図１】
2019012213.tif 000003
【図２】
2019012213.tif 000004
【図３】
2019012213.tif 000005
【図４】
2019012213.tif 000006
【図５】
2019012213.tif 000007
【図６】
2019012213.tif 000008
【図７】
2019012213.tif 000009
【図８】
2019012213.tif 000010
【図９】
2019012213.tif 000011
【図１０】
2019012213.tif 000012
【図１１】
2019012213.tif 000013
【図１２】
2019012213.tif 000014
【図１３】
2019012213.tif 000015
【図１４】
2019012213.tif 000016
【図１５】
2019012213.tif 000017
【図１６】
2019012213.tif 000018
【図１７】
2019012213.tif 000019
【図１８】
2019012213.tif 000020
【図１９】
2019012213.tif 000021
【図２０】
2019012213.tif 000022
【図２１】
2019012213.tif 000023